(57)【要約】【課題】立位状態の着用者に対して容易に着脱操作をすることができ、かつ、着用操作中及び着用中において前ウエスト域が安定的に止着される開放型の使い捨ておむつの提供。【解決手段】弾性ウエストベルト１６のうちの少なくとも一方のベルト部２６は、吸液構造体１５の側縁１５ｃ，１５ｄから横方向Ｘの外側に延びる第１弾性域４１と、第１弾性域４１と横方向において離間対向する第２弾性域４２と、第１及び第２弾性域間に位置する非弾性域４０とを有する。第２ファスニング手段１８は、吸収シャーシ１５の前端部５１の肌対向面側に位置する第１止着部７４と、非弾性域の非肌対向面側に位置する第２止着部７５とから構成される。【選択図】図２
2014079290.tif 000002
【特許請求の範囲】
【請求項１】
縦方向及び横方向を有し、肌対向面及び非肌対向面と、前ウエスト域と、後ウエスト域と、前後ウエスト域間に位置するクロッチ域と、少なくとも前記クロッチ域において前記縦方向へ延びる吸液構造体が配置され、前記前ウエスト域に位置する前端部と前記後ウエスト域に位置する後端部とを有する吸収シャーシと、前記吸収シャーシの前記後端部に連結された弾性ウエストベルトとを含む開放型の使い捨ておむつにおいて、
前記弾性ウエストベルトの両側縁部を互いに連結するための第１ファスニング手段と、前記第１ファスニング手段を介して連結された前記弾性ウエストベルトの前記非肌対向面に前記吸収シャーシの前記前端部を止着するための第２ファスニング手段とを含み、
前記弾性ウエストベルトは、前記吸収シャーシの後端部の両側縁から前記横方向の外側に延びる一対のベルト部と、前記横方向に伸縮可能な弾性域とを有し、
少なくとも一方の前記ベルト部は、前記吸液構造体の側縁から前記横方向の外側に延びる第１弾性域と、前記第１弾性域と前記横方向において離間対向する第２弾性域と、前記第１及び第２弾性域間に位置する非弾性域とを有し、
前記第２ファスニング手段は、前記吸収シャーシの前記前端部の肌対向面側に位置する第１止着部と、前記非弾性域の非肌対向面側に位置する第２止着部とから構成されることを特徴とする前記おむつ。
【請求項２】
前記各ベルト部の前記弾性域の前記横方向における寸法は、前記各ベルト部の前記横方向における寸法の約５０％以上である請求項１に記載のおむつ。
【請求項３】
前記第２ファスニング手段を構成する前記第１止着部間において、前記横方向に伸縮可能な前中央弾性域が配置される請求項１又は２に記載のおむつ。
【請求項４】
前記第１止着部の前記横方向における寸法が、前記第２止着部の前記横方向における寸法よりも大きい請求項１〜３のいずれかに記載のおむつ。
【請求項５】
前記吸収シャーシは、前記前後端部間に位置して前記縦方向に延びる中間部を有し、前記中間部の両側縁が凹曲状を有する請求項１〜４のいずれかに記載のおむつ。
【請求項６】
前記吸収シャーシのうちの、前記吸液構造体の前記横方向の外側に位置する部分には、レッグ弾性体がレッグ開口縁部に沿って伸縮可能に配設される請求項１〜５のいずれかに記載のおむつ。
【請求項７】
前記弾性ウエストベルトは、前記弾性域が配置された弾性パネルと、前記弾性パネルの一方側部に取り付けられた非弾性の係止フラップと、他方側部に取り付けられた被係止フラップとを有し、前記第１ファスニング手段は、前記係止フラップの肌対向面側に位置する第３止着部と、前記被係止フラップの非肌対向面側に位置する第４止着部とから構成される請求項１〜６のいずれかに記載のおむつ。
【請求項８】
前記弾性ウエストベルトは、前記一対のベルト部間に位置して前記吸収シャーシが連結される中央部を有し、前記中央部のうちの前記吸液構造体と重なる部位に非弾性域が位置する請求項１〜７のいずれかに記載のおむつ。
【請求項９】
前記弾性ウエストベルトは、前記おむつの横軸に向かって凸となる形状であって、前記クロッチ域の前記後ウエスト域側において、前記吸液構造体と交差してその両側縁の横方向外側に延びる弾性の臀部カバー部を有する請求項１〜８のいずれかに記載のおむつ。
【請求項１０】
前記第１及び第２ファスニング手段を構成する前記受止部において、視認可能な装飾要素を有するシートが配置される請求項１〜９のいずれかに記載のおむつ。
【請求項１１】
前記吸液構造体は、透液性の身体側ライナと吸液層とを有し、前記吸液層は、透液性の第１シートと、透液性又は不透液性シートの第２シートと、それらのシート間に介在された吸収性ポリマー粒子とを有する請求項１〜１０のいずれかに記載のおむつ。
【請求項１２】
前記吸液層は、前記第１シートと第２シートとが互いに接合された非吸液域と、前記非吸液域に囲まれた、前記吸収性ポリマー粒子が被包された複数の吸液域とをさらに含む請求項１１に記載のおむつ。
【請求項１３】
前記吸収シャーシは、その外面を形成するカバーシートを有し、前記カバーシートは前記吸液構造体が配置される主体部と、前記主体部の両側に位置し、内方へ折り曲げられた両側部とを有し、前記両側部は、前記主体部に固定された前後固定端部と、前記前後固定端部間に位置する固定側部と、レッグ開口縁部に沿って凹曲状に延びるレッグ弾性体とを有する請求項１〜１２のいずれかに記載のおむつ。
【請求項１４】
前記固定側部と前記主体部とを固定する接合域が前記横方向の外側へ凹状を有し、前記接合域と前記吸収シャーシの外側縁との間には、非固定域が位置する請求項１３に記載のおむつ。
【発明の詳細な説明】
【技術分野】
【０００１】
本発明は、使い捨ておむつ、特に、開放型の使い捨ておむつに関する。
【背景技術】
【０００２】
従来、吸収シャーシと、着用者のウエスト回りにフィットする弾性ウエストベルトとを有する開放型の使い捨ておむつは公知である。例えば、特許文献１には、クロッチ域から前後ウエスト域に延びる吸液構造体を有する吸収シャーシと、クロッチ域の後方側から後ウエスト域に延びる弾性ウエストパネルと、弾性ウエストパネルの両側に連結された、少なくとも一方にファスナ部を備える一対の弾性ベルト部とを有する開放型の使い捨ておむつを開示する。
【先行技術文献】
【特許文献】
【０００３】
【特許文献１】特開２００５−２７０３５９号（Ｐ２００５−２７０３５９Ａ）
【発明の概要】
【発明が解決しようとする課題】
【０００４】
特許文献１に開示の開放型の使い捨ておむつでは、両ベルト部を内方へ互いに重なるように折り曲げて、一方のベルト部のファスナ部を他方のベルト部の外面に止着することによって、両弾性ベルト部と弾性ウエストパネルとによってループ状の弾性ウエストベルトが画定される。該弾性ウエストベルトの外面に位置する受止部に前ウエスト域の内面に位置するファスナ部を連結することによって、パンツ形態に組み立てることができ、着用者の立位状態であっても、おむつを簡易に着用させることができる。
【０００５】
しかし、かかるおむつでは、弾性ウエストベルトの弾性域に位置する受止部に前ウエスト域の肌対向面に位置するファスナ部を止着するので、受止部が変形してファスナ部が安定的に止着されず、ファスニング手段の締結力が低下するおそれがある。このように、ファスニング手段が所要の締結力を発揮できないことにより、着用操作中又は着用中におむつの前ウエスト域がずり下がったりずり落ちたりするおそれがある。
【０００６】
そこで、本発明の課題は、従来の技術の改良であって、立位状態の着用者に対して容易に着脱操作をすることができ、かつ、着用操作中及び着用中において前ウエスト域が安定的に止着される開放型の使い捨ておむつを提供することにある。
【課題を解決するための手段】
【０００７】
前記課題を解決するために、本発明は縦方向及び横方向を有し、肌対向面及び非肌対向面と、前ウエスト域と、後ウエスト域と、前後ウエスト域間に位置するクロッチ域と、少なくとも前記クロッチ域において前記縦方向へ延びる吸液構造体が配置され、前記前ウエスト域に位置する前端部と前記後ウエスト域に位置する後端部とを有する吸収シャーシと、前記吸収シャーシの後端部に連結された弾性ウエストベルトとを含む開放型の使い捨ておむつに関する。
【０００８】
本発明に係る開放型の使い捨ておむつは、前記弾性ウエストベルトの両側縁部どうしを連結するための第１ファスニング手段と、前記第１ファスニング手段を介して連結された前記弾性ウエストベルトの前記非肌対向面に前記吸収シャーシの前記前端部を止着するための第２ファスニング手段とを含み、前記弾性ウエストベルトは、前記吸収シャーシの後端部の両側縁から前記横方向の外側に延びる一対のベルト部と、前記横方向に伸縮可能な弾性域とを有し、少なくとも一方の前記ベルト部は、前記吸液構造体の側縁から前記横方向の外側に延びる第１弾性域と、前記第１弾性域と前記横方向において離間対向する第２弾性域と、前記第１及び第２弾性域間に位置する非弾性域とを有し、前記第２ファスニング手段は、前記吸収シャーシの前記前端部の肌対向面側に位置する第１止着部と、前記非弾性域の非肌対向面側に位置する第２止着部とから構成されることを特徴とする。
【発明の効果】
【０００９】
本発明に係る開放型の使い捨ておむつによれば、弾性ウエストベルトが伸縮することによって、着用操作中や着用中におむつがずり下がったりずり落ちたりすることはない。また、第２ファスニング手段を構成する第２受止部（第２止着部）が弾性ウエストベルトの非弾性域に位置することによってその平面性が維持され、第２受止部が弾性域の伸縮作用によって変形して第２ファスニング手段の締結力が低下することもなく、安定的に吸収シャーシの前端部を弾性ウエストベルトに連結することができる。
【図面の簡単な説明】
【００１０】
【図１】本発明の第１実施形態における開放型使い捨ておむつの着用状態を示す斜視図。
【図２】第１及び第２ファスニング手段を解除しておむつを展開し、肌対向面から見た展開平面図。
【図３】おむつの分解斜視図。
【図４】おむつの展開状態において、弾性ウエストベルトを背面から見た図。
【図５】おむつを着用するときの第１ファスニング手段が連結された状態の様子を示す図。
【図６】おむつを着用するときの第２ファスニング手段を連結するときの様子を示す図。
【図７】第２実施形態におけるおむつの展開平面図。
【図８】第２実施形態におけるおむつの弾性ウエストベルトのみを実線で示した展開平面図。
【図９】第３実施形態における図４と同様の図。
【図１０】第４実施形態におけるおむつの展開平面図。
【図１１】第４実施形態における吸液層の一部破断平面図。
【図１２】第５実施形態における吸液構造体の一部破断平面図
【図１３】第６実施形態における吸液構造体の一部破断平面図。
【発明を実施するための形態】
【００１１】
＜第１実施形態＞
図１〜図３を参照すると、本実施形態に係る開放型の使い捨ておむつ１０は、縦方向Ｙとそれに直交する横方向Ｘと、縦軸Ｐ及び横軸Ｑとを有する。おむつ１０は、肌対向面及び非肌対向面と、前ウエスト域１１と、後ウエスト域１２と、少なくともクロッチ域１３の肌対向面に取り付けられた吸液構造体１４とを有する吸収シャーシ１５と、後ウエスト域１２において、吸収シャーシ１５と交差して横方向Ｘへ延びる弾性ウエストベルト１６とを含む。かかるおむつ１０の着用状態において、弾性ウエストベルト１６の両側縁部どうしは、第１ファスニング手段１７を介して連結され、前ウエスト域１１を画定する吸収シャーシ１５の前端部５１が第２ファスニング手段１８を介して弾性ウエストベルト１６の外面に連結されることによって、ウエスト開口１９と一対のレッグ開口とが画定される。
【００１２】
図２を参照すると、弾性ウエストベルト１６は、横方向Ｘへ直状に延び、縦方向Ｙにおいて互いに対向する内外端縁１６ａ，１６ｂと、横方向Ｘにおいて互いに対向する、横方向Ｘの外側へ凸状の側縁１６ｃと、縦方向Ｙに直状に延びる側縁１６ｄとによって画定された横長矩形状であって、その中央部の内面が吸収シャーシ１５に連結された弾性パネル２０と、弾性パネル２０の一方側部に取り付けられた係止フラップ２２と、他方側部に取り付けられた被係止フラップ２４とを有する。弾性ウエストベルト１６は、説明の便宜上、吸収シャーシ１５に連結された中央部２５と、吸収シャーシ１５の後端部５２の両側縁１５ｃ，１５ｄから横方向Ｘの外側に延びるベルト部２６とに区分される。係止フラップ２２の肌対向面には第１ファスナ部（第３止着部）２７が位置し、被係止フラップ２４の非肌対向面は、第１ファスナ部２７が係脱可能に止着（止め着ける）される第１受止部（第４止着部）２８が配置される。第１ファスナ部２７と第１受止部２８とは、弾性ウエストベルト１６の両側縁部を互いに連結するための第１ファスニング手段１７を構成する。
【００１３】
図３及び４を参照すると、弾性パネル２０は、肌対向面側に位置する第１シート３１と、非肌対向面側に位置する第２シート３２とを有し、両シート３１，３２は、それらの対向面のいずれか一方に塗布されたホットメルト接着剤を介して互いに固定される。第１及び第２シート３１，３２間には、横方向Ｘに延びる複数条のウエスト弾性体３３が配置されており、弾性パネル２０は少なくとも横方向Ｘに伸縮可能に弾性化される。弾性パネル２０は、吸収シャーシ１５の後端部５２と交差し、かつ、その両側縁１５ｃ，１５ｄから横方向Ｘの外側に連続して延びる第１弾性域４１と、第１弾性域４１の両側に隣接して位置するサイド非弾性域（非弾性域）４０と、サイド非弾性域４０と両側縁１６ｃ，１６ｄとの間に位置する第２弾性域４２とを有する。また、第１弾性域４１の中央部において、吸収シャーシ１５内の吸液構造体１４の後端部５２と交差する部位には、ウエスト弾性体３３が配置されておらず、中央非弾性域４３が画定される。中央非弾性域４３よりも縦方向Ｙの外側にはウエスト弾性体３３が配設されており、後中央弾性域４４が形成される。
【００１４】
本実施形態において、両ベルト部２６において、第１弾性域４１と第２弾性域４２とが横方向Ｘにおいて離間対向し、それらの間にサイド非弾性域４０が位置しているが、後記の効果を奏する限りにおいて、少なくとも一方のベルト部２６においてかかる構成を有し、他方のベルト部２６にサイド非弾性域４０が形成されていなくてもよい。また、本実施形態と異なり、中央非弾性域４３を形成するウエスト弾性体３３を切断又は除去し、該部位に第１及び第２シート３１，３２とは別体のシート部材とウエスト弾性体３３とは別体の弾性体とを配置することによって、後中央弾性域４４を形成することができる。この場合には、配置する弾性体の太さや伸長倍率等を調整することによって、後中央弾性域４４による伸長応力を第１及び第２弾性域４１，４２のそれよりも高くして、弾性ウエストベルトを着用者の背中によりフィットさせることもできる。
【００１５】
第１及び第２弾性域４１，４２は、ストリング状又はストランド状の弾性体を配置するほかに、第１及び第２シート３１，３２間に伸縮性シートを配置して形成してもよいし、弾性パネル２０全体を伸縮性シートから形成してもよい。本発明において、「非弾性域」とは、ストリング状、ストランド状又はシート状の弾性材料からなるウエスト弾性体３３の弾性力が発現されない領域であって、ウエスト弾性体３３の実質的に弾性を有する部分（伸縮機能部分）が配設されていない領域を意味するものである。したがって、非弾性域において、スナップバック（弾性部材のうちシートに固着されていない非固着部分が、自らの収縮によりシートに固着されている接合端部近傍まで戻ること）した部分が延在していたとしても、弾性パネル２０に非弾性域を形成したことによる後記の効果を生じ得るものといえる。また、非伸縮域を画定する方法としては、スナップバックのほかに、非弾性域においてウエスト弾性体３３を固定し、第１及び第２シート３１，３２とともにその弾性力が発現してない程度に複数切断してもよい。
【００１６】
第１及び第２シート３１，３２は、例えば、質量約１０〜２０ｇ／ｍ２の不透液性のＳＭＳ（スパンボンド・メルトブローン・スパンボンド）繊維不織布若しくはスパンボンド不織布から形成することができる。ウエスト弾性体３３は、太さ約３００〜１２００ｄｔｅｘ、伸長倍率約１．５〜３．５倍、縦方向Ｙにおける離間寸法（ピッチ）約５〜１５ｍｍの複数条のストランド状又はストリング状の弾性材料から形成することができる。
【００１７】
係止フラップ２２は、横方向Ｘの外側へ凸となる略台形状を有し、例えば、質量約２０〜６０ｇ／ｍ２の非伸縮性の繊維不織布又はプラスチックシートからなる２枚のシート４６，４７を互いに重ね合わせて形成される。係止フラップ２２を形成するシート４６の内側部は、第１シート３１の一方側縁の非肌対向面に接合され、シート４７の内側部は、第２シート３２の一方側縁の非肌対向面に接合されており、両シート間４６，４７間に弾性パネル２０の側縁が介在された状態で両シート４６，４７はホットメルト接着剤や熱溶着手段等の公知の接合手段を介して接合される。係止フラップ２２は、第１及び第２シート３１，３２よりも高剛性のシート材料から形成されており、係止フラップ２２は弾性パネル２０よりも高い剛性を有する。したがって、ファスナ部２７の平面性が確保され、着用操作中にファスナ部２７が変形して被係止フラップ２４との止着強度が低下するおそれはない。
【００１８】
被係止フラップ２４は、弾性パネル２０から横方向Ｘへ延びる矩形状を有し、例えば、質量約２０〜６０ｇ／ｍ２の非伸縮性の繊維不織布又はプラスチックシートから形成された２枚のシート４８，４９から形成される。被係止フラップ２４を形成するシート４８の内側部は、第１シート３１の他方側縁の非肌対向面に接合され、シート４９の内側部は、第２シート３２の他方側縁の非肌対向面に接合されており、両シート４８，４９間に弾性パネルの側縁が介在された状態で、両シート４６，４７はホットメルト接着剤や熱溶着手段等の公知の接合手段を介して接合される。被係止フラップ２４は、係止フラップ２２と同様に、第１及び第２シート３１，３２よりも高剛性のシート材料から形成されており、被係止フラップ２４は、弾性パネル２０よりも高い剛性を有する。したがって、被係止フラップ２４に位置する第１受止部２８の平面性が維持されるので、着用操作中に第１受止部２８が変形してファスナ部２７との止着面積が減少して、それらの止着強度が低下するおそれはない。
【００１９】
吸収シャーシ１５は、横方向Ｘへ直状に延びる前後端縁１５ａ，１５ｂと、前後端縁１５ａ，１５ｂ間において縦方向Ｙに延び、その中央部が内方へ凹曲する両側縁１５ｃ，１５ｄとによって画定された縦長矩形状を有する。吸収シャーシ１５は、さらに、その外形を形成するカバーシート５０と、前ウエスト域１１を形成する前端部５１と、後ウエスト域１２に位置する後端部５２と、前後端部５１，５２間に位置し、クロッチ域１３を形成する中間部５３とを有する。カバーシート５０は、難透液性の繊維不織布シート、プラスチックフィルム又はそれらのラミネートシートから形成される。カバーシート５０は、吸液構造体１４が配置された主体部５６と、その横方向Ｘの両側に位置する両側部５７とを有し、両側部５７は内方へ向かって折り曲げられ、主体部５６に固定される。具体的には、両側部５７は、ホットメルト接着剤を塗布した接合域５８を介して主体部５６に固定された前後固定端部６０，６１と、前後固定端部６０，６１間において折曲部（吸収シャーシ１５の両側縁１５ｃ，１５ｄ）に沿って縦方向Ｙに延びる固定側部６３とを有する。両側部５７の固定側部６３は、中央部において横方向Ｘの外側へ凹曲状にカットされており、凹曲状の側縁（レッグ開口縁部）１５ｃ，１５ｄに沿って複数条のストリング状又はストランド状のレッグ弾性体６２が伸縮可能に配設される。したがって、固定側部６３がカットされていない場合と比べて固定側部６３の外側縁どうしの間における横方向Ｘの寸法は小さくなり、着用者がレッグ開口に脚を通すときに固定側部６３が引っ掛かるのを防止することができ、かつ、大腿部へのフィット感を向上させることができる。また、固定側部６３とともにレッグ弾性体６２が切断されていないので、レッグ弾性体６２の切断部位が着用者の大腿部に触れて刺激を与えたり、その一部が外部へ抜け出たりするおそれはない。また、かかるカットラインをより大きく緩やかにカーブした形状として、クロッチ域１３全体にレッグ弾性体６２を配置してもよい。
【００２０】
また、両側部５７は、その内側縁が折り返されることによって形成されたスリーブ状の遠位縁部を有し、該遠位縁部内には、縦方向Ｙに直状に延びる複数条のストリング状又はストランド状のカフ弾性体６４が伸縮可能に固定される。遠位縁部は、おむつ１０の着用状態において、カフ弾性体６４の収縮作用によって主体部５６の肌対向面から離間し、排泄物の横漏れを防止するための一対のバリアカフが形成される。レッグ弾性体６２とカフ弾性体６４とは、例えば、太さ４７０〜９４０ｄｔｅｘ、伸長倍率約１．５〜２．８倍の弾性材料から形成することができる。
【００２１】
レッグ弾性体６２が配設されることによって、レッグ開口縁部が着用者の大腿部にフィットし、かつ、カフ弾性体６４によってバリアカフが鼠径部にフィットするので、排泄物の横漏れを確実に防止することができる。また、おむつ１０をパンツ形態のまま引き上げ／引き下げするときに、レッグ開口縁部が歪に折れ曲がったりよれたりするおそれはない。
【００２２】
吸液構造体１４は、ホットメルト接着剤を介してカバーシート５０の主体部５６の肌対向面に固定されており、吸液層６５と、透液性シートから形成された吸液層の少なくとも肌対向面側を被覆する身体側ライナ６６とを有する。吸液層６５は、不水溶性かつ自己質量の１０倍以上の吸水力を有するいわゆる高吸収性ポリマー粒子（ＳＡＰ）、木材フラッフパルプ、オプションとして熱可塑性繊維を僅かに含む混合物から形成された吸収性コアを親水性ＳＭＳ不織布などの透液性シートで被包することによって形成される。吸液構造体１４の下面には、その外寸法よりも大きい不透液性シートから形成された防漏シート６７が配置される。
【００２３】
吸収シャーシ１５は、前ウエスト域１１において、前端縁１１ａに沿って横方向Ｘに延び、バリアカフの前端部どうしをむすぶように配置される連結パネル６８を有する。連結パネル６８は、肌対向面側に位置する内面シート７０と、非肌対向面側に位置する外面シート７１と、それらの間に伸縮可能に取り付けられた弾性体７２とを有する。連結パネル６８は、弾性体７２が配設された前中央弾性域７３と、前中央弾性域７３の横方向Ｘの両側に位置する、非弾性の両側部と、両側部の肌対向面側に配置された一対の第２ファスナ部（第１止着部）７４とを有する。
【００２４】
図４を参照すると、弾性ウエストベルト１６の被係止フラップ２４の非肌対向面には、係止フラップ２２の第１ファスナ部２７が係脱可能に止着される第１受止部２８が位置し、サイド非伸縮域４０の非肌対向面側には、それぞれ、連結パネル６８の第２ファスナ部７４が係脱可能に止着される第２受止部（第２止着部）７５が配置される。第２ファスナ部７４と第２受止部７５とは、吸収シャーシ１５の前端部５１を弾性ウエストベルト１６に連結するための第２ファスニング手段１８を構成する。
【００２５】
第１及び第２ファスナ部２７，７４は、プラスチックフィルム等の比較的に剛性及び引張強度の高いシート材料から形成され、メカニカルファスナのフック群を有する。また、第１及び第２ファスナ部２７，７４は、それらが係止される被係止フラップ２４とベルト部２６との外面がプラスチックフィルムによって形成されている場合等において、フック要素群に替えて接着剤を塗布して形成することもでき、その場合には、ファスナ部を保護するために、その表面にシリコンを塗布したセパレータで被覆してもよい。
【００２６】
第１及び第２受止部２８，７５は、プラスチックフィルム、繊維不織布、それらのラミネート等の比較的に剛性及び引張強度の高いシート材料から形成された基材シートと、基材シートの表面に配置されたメカニカルファスナのループ要素とから形成される。ただし、基材シートが繊維不織布から形成される場合には機械的なループ要素を有していなくてもよいし、第１及び第２ファスナ部２７，７４がフック要素を有する場合には、被係止フラップ２４の外面を形成するシート４９とベルト部２６の外面を形成する第２シート３２とを繊維不織布から形成し、該シートに直接的に第１及び第２ファスナ部２７，７４を止着することもできる。
また、本発明において図示していないが、第１及び第２ファスニング手段１７，１８は、互いに係脱可能な雌雄一対のファスニング要素を有するものであればよく、第１及び第２ファスナ部（第１及び第３止着部）２７，７４がメカニカルファスナのループ群を有し、第１及び第２受止部（第２及び第４止着部）２８，７５がフック群を有するものであって、それらが互いに係合することによって、第１及び第２ファスニング手段１７、１８による連結がなされてもよい。
【００２７】
図５を参照すると、おむつ１０を着用するときには、まず、着用者が立位又は臥位の状態において、背中側に弾性ウエストベルト１６の肌対向面を当てがい、着用者自ら又は着用補助者が弾性ウエストベルト１６の両方のベルト部２６を把持し、それらを着用者の背中側から腹側に向かってウエスト回りに巻き付けるように引っ張って、係止部２２の肌対向面が被係止部２４の非肌対向面と当接するようにそれらを互いに重ね合わせ、第１ファスナ部２７を第２受止部２８に止着する。次に、図６に示すとおり、吸収シャーシ１５の前端部（前ウエスト域１１）５１を把持して大腿部間から前ウエスト域１１を（前方又は後方へ）引っ張り、吸収シャーシ１５の前端部５１の肌対向面を着用者のウエスト回りを締め付けるように取り付けられた弾性ウエストベルト１６と当接するように着用者の腹側に向かって折り曲げる。かかる状態において、前端部５１の肌対向面側に位置する第２ファスナ部７４をそれと対向して位置する第２受止部７５に止着することによって、おむつ１０はパンツ型の形態を呈する。
【００２８】
このように、本発明に係る開放型の使い捨ておむつ１０の場合には、第１ファスニング手段１７の締結によって弾性ウエストベルト１６を着用者のウエスト回りに巻き付け、その後に吸収シャーシ１５の前端部５１をベルト部２６の外面に取り付けることができるので、着用者が立位状態であっても着用操作を容易に行うことができる。また、例えば、着用者が便座で排泄する場合において、パンツ形態を有するおむつ１０をそのままの状態でズボン等の衣服とともに足元に引き下げることができるとともに、排泄後、便座に座った状態から立ち上がったときに足元に引き下げられた状態にあるおむつ１０を衣服とともに引き上げて着用することができるので、排泄操作をスムーズに行うことができる。特に着用者が高齢者の場合には、パンツ型おむつと異なり、レッグ開口に脚を通すことなく立位／臥位の状態で着用操作を行うことができる一方、このように、排泄時等においておむつ１０をパンツ形態のまま衣服とともに上げ下げすることができるので、高齢者による自力での排泄を促すことができる。すなわち、自力で立ちあがることのできる高齢者は、排泄時におけるおむつ１０を外すことの煩わしさから解放されることによって、着用補助者や介助者の付き添いがなくても夜間に一人でトイレで排泄をしたり、日中に排泄に対する不安を抱くことなく外出したりすることができ、よりアクティブに日常生活を送ることができる。また、介助を受けることによって立ちあがることのできる高齢者の場合には、排泄時に着用補助者がズボン等の衣服とともにおむつ１０を上げ下げすることができるので、排泄時において完全に身体から取り外される通常の開放型のおむつに比べて陰部が露出する時間が短くなり、陰部が露出することによる恥ずかしさが軽減される。
【００２９】
図４を参照すると、各ベルト部２６において、その横方向Ｘにおける寸法Ｌに対して弾性域の横方向Ｘにおける寸法が約５０％以上であって、好ましくは、第１弾性域４１の横方向Ｘにおける寸法が寸法Ｌに対して約３０〜８０％，第２弾性域４２の横方向Ｘにおける寸法が寸法Ｌに対して約５〜５５％の大きさであることが好ましい。各ベルト部２６の横方向Ｘにおける寸法Ｌに対する弾性域の寸法比が５０％以上の場合には、図５に示すように、立位状態の着用者に弾性ウエストベルト１６をベルト状に巻き付けたときにずり下がることがないとともに、ウエスト開口縁部を伸長させて拡げることができるので、排泄時におけるおむつ１０の引き上げ／引き下げ操作が容易になる。
【００３０】
弾性ウエストベルト１６に十分な大きさの弾性域が形成される一方、第１及び第２弾性域４１，４２との間にサイド非弾性域４０を設けることによって、第２ファスニング手段１８の締結力の低下が防止される。すなわち、第２受止部７５において第２ファスナ部７４が安定的に止着されるためには、第２ファスナ部７４のフック要素と第２受止部７５のループ要素とが係合する面積を十分に確保できる程度に第２受止部７５自体が平面性を保持することが必要であるところ、第２受止部７５が第１又は第２弾性域４１，４２に位置し、その伸縮とともに変形してその表面が凹凸状を有する場合には、該凹部においてループ要素がフック要素に係合されず、第２ファスナ部７４と第２受止部７５との止着強度が低下するおそれがある。本実施形態においては、サイド非弾性域４０に第２受止部７５が位置することによって、第１及び第２弾性域４１，４２の収縮によって第２受止部７５が変形することなく、平面性が保持されるので、第２ファスニング手段１８は所要の締結力を発揮することができる。
【００３１】
また、一般的な（メカニカル）ファスニング手段において、ターゲット領域（受止部）の面積がフック材（ファスナ部）のそれよりも大きく形成されるところ、図６を参照すると、本実施形態においては、第２ファスナ部７４の横方向Ｘにおける寸法Ｗ１は、第２受止部７５の横方向Ｘにおける寸法Ｗ２よりも大きい。したがって、第２ファスナ部７４を第２受止部７５に止着したときに、第２ファスナ部７４の一部が第２受止部７５と重ならないが、かかる止着態様であっても、おむつ１０の引き上げ／引き下げ操作をし得る程度の十分な止着強度を発揮することができる。このように、弾性ウエストベルト１６において弾性域の範囲を十分に確保しつつ、第２受止部７５の大きさを必要十分な大きさに設定することによって、おむつ１０の優れた操作性と十分な止着強度とを両立させることができる。
【００３２】
また、前ウエスト域１１において前中央弾性域７３が位置することによって、着用者／着用補助者は、おむつ１０の着用時において、前ウエスト域１１の両側を両手で掴み、前ウエスト域１１全体に皺が寄らないように前中央弾性域７３を横方向Ｘに伸長させながら、吸収シャーシ１５の前端部を弾性ウエストベルト１６の非肌対向面に重ね合わせることによって、弾性ウエストベルト１６の伸縮に連動して前ウエスト域１１を伸縮させることができ、着用者のウエスト回り全体に仮想の弾性帯が形成される。これにより、前ウエスト域１１は着用者の身体の動きに合わせて伸縮されるので、前ウエスト域１１の表面に外観を損ねるような皺が生じたり、前ウエスト域１１と着用者の身体との間に排泄物の漏れ原因となる隙間が形成されることない。
【００３３】
＜第２実施形態＞
図７，８を参照すると、本実施形態に係る弾性ウエストベルト１６は、その中央部が横軸Ｑに向かって凸となる形状を有し、着用状態において着用者の臀部を被覆する臀部カバー部８０を有する。
【００３４】
臀部カバー部８０は、第１及び第２シート３１，３２と、それらの間に伸縮可能に固定された複数条のストリング状又はストランド状の弾性材料から形成された臀部弾性体８１と、臀部弾性体８１が配設された臀部弾性域８２とを有する。臀部弾性体８１は、吸液構造体１４の両側において縦軸Ｐに対して斜めに交差するように延びている。臀部カバー部８０は、臀部弾性体８１によって弾性化されることによって、着用者の臀部にフィットして、背面視において下着のような外観を呈することができる。また、吸収シャーシ１５の後端部５２と後ウエスト域１２側の中間部５３の一部とは、臀部カバー部８０にホットメルト接着剤を塗布した接合域（図示せず）を介して接合される。それにより、吸収シャーシ１５の両側部５７が臀部カバー部８０と連動して伸縮するので、おむつ１０の着用状態において、吸収シャーシ１５全体が後方に引き上げられ、着用者の身体の動きに合わせてよりフィットさせることができる。
【００３５】
図８を参照すると、臀部カバー部８０の中央部には、臀部弾性体８１が配置されておらず、弾性ウエストベルト１６の中央部には、後中央弾性域４４、第１弾性域４１及び臀部弾性域８２に囲まれた中央非弾性域８５が位置する。中央非弾性域８５が形成されていることによって、弾性ウエストベルト１６と交差する吸液構造体１４の後端部にウエスト弾性体３３及び臀部弾性体８１の収縮が直接作用することはなく、該後端部が変形したり皺が形成されたりして、その吸収性能が低下するおそれはない。本実施形態のほかに、臀部弾性体８１を用いずに、ウエスト弾性体３３の一部を縦軸Ｐに対して傾斜するように内方へ延出させることによって、臀部カバー部８０に弾性を付与してもよいし、臀部カバー部８０を中央部２５とベルト部２６とは別体のパネルから形成してもよい。
【００３６】
＜第３実施形態＞
図９を参照すると、本実施形態に係るおむつ１０において、弾性ウエストベルト１６の非肌対向面側に位置する第１及び第２受止部２８，７５を形成する基材シートと、それが固定される第２シート３２との間には、外部から視認可能な複数の装飾要素８７を付したイラストシート８８が配置される。第１及び第２受止部２８，７５の配置された部位は非弾性域であって、第１及び第２弾性域４１，４２と肌触り等において相違するものであるが、おむつ１０の着用者や着用補助者をして、特に、第１弾性域４１と第２弾性域４２との間に位置する第２受止部７５の位置や大きさを把握することができない。本実施形態のように、第１及び第２受止部２８，７５を形成する基材シートの内面に外部から視認可能なイラストシート８８を配置することによって、第１及び第２ファスナ部２７，７４の止着されるターゲットの位置と範囲とを容易に視認することができるので、着用操作を簡易に行うことができ、また、見た目にも好ましい。イラストシート８８は、繊維不織布シート又はプラスチックシートから形成でき、装飾要素８７としては、各種公知の模様のほかに、例えば、白色以外の彩色（カラーリング）、キャラクター、商標、商品の品質表示やサイズ表示等を用いることができる。
【００３７】
＜第４実施形態＞
図１０及び図１１を参照すると、本実施形態においては、吸液構造体１４の吸液層６５は、主として高吸収性ポリマー粒子から形成された吸収性コアと、肌対向面側に位置する質量約８．０〜１５．０ｇ／ｍ２、好ましくは、質量約１０．０ｇ／ｍ２の透液性の繊維不織布から形成された第１シート９１と、非肌対向面側に位置する質量約８．０〜１５．０ｇ／ｍ２、好ましくは、１１．０ｇ／ｍ２の透液性または難透液性のＳＭＳ繊維不織布等の繊維不織布、または不透液性のプラスチックフィルムから形成された第２シート９２とを含む。
【００３８】
吸液層６５は、さらに、吸収性コアが配置された、縦方向Ｙへ所与寸法離間する略矩形状に画定された吸液域９３と、吸収性コアが実質的に配置されていない、吸液域を取り囲むように形成された非吸液域（シール部）９４とを有する。なお、本実施形態において、吸液域９３は、１０個の区域に区分されているが、吸液構造体１４の要する吸収性能に応じてその面積、区域数を適宜変更することができ、例えば、１０以上の区域に区分されていてもよいし、吸液構造体１５の全体に延びる１つの区域のみから形成されていてもよい。
【００３９】
吸液域９３では、第１シート９１の内面には、ホットメルト接着剤９６を介して質量約３０〜３００ｇ／ｍ２、好ましくは、質量約４０〜２８０ｇ／ｍ２の高吸収性ポリマー粒子９５がほぼ一様に固定されている。高吸収性ポリマー粒子９５には、吸液層６５全体の吸収速度を調整するために、例えば、吸収速度の異なる２種類のものを併用することができる。また、後記の本発明の効果を奏する限りにおいて、吸収性コアには、高吸収性ポリマー粒子９５のみならずフラッフパルプやオプションとして熱可塑性繊維などの公知の材料を比較的に低い混合率でその一部に含むものであってもよい。具体的には、フラッフパルプ等の吸水性繊維を混合する場合は、吸収性コア全体に対して約０〜３０質量％の割合で混合されていることが好ましい。ホットメルト接着剤９６には、各種公知のものを使用することができるが、体液の吸収後であって、吸収性ポリマー粒子が第１シート９１から剥離しないようにするために、疎水性を有する接着剤を使用することが好ましい。
【００４０】
このように、吸液層６５の吸収性コアは、吸収性ポリマー粒子９５とそれを被包するシート部材のみから形成されているので、吸液構造体１５は、吸収性コアが吸収性ポリマー粒子９５とフラッフパルプとの混合物から形成されている場合に比して薄くなる。したがって、おむつ１０の着用中に着用者が前屈みの状態になっても前ウエスト域１１がごわつくことはなく、着用者の身体の動きに応じて柔軟に変形するので、着用感に優れる。
【００４１】
＜第５実施形態＞
図１２を参照すると、本実施形態においては、固定側部６３ととともにレッグ弾性体６２が切断されている。かかる態様においても、第１実施形態と同様に、固定側部６３が凹曲状にカットされていることによって、固定側部６３の外側縁どうしの間における横方向Ｘの寸法は小さくなり、着用者がレッグ開口に脚を通すときに固定側部６３が引っ掛かるのを防止することができ、かつ、大腿部へのフィット感を向上させることができる。
【００４２】
＜第６実施形態＞
図１３を参照すると、本実施形態においては、固定側部６３における接合域５８が横方向Ｘの外側へ向かって凹状を有し、側縁１５ｃと接合域５８との間には、非固定域９８が形成される。第１及び第５実施形態においては、両側部５７の一部がカットされているものであって、たとえ肌当たりを考慮して曲状にカットされたものであったとしても、それが着用者の大腿部の内側に直接触れることによって刺激を与えるおそれがある。本実施形態の場合には、接合域５８の位置する比較的に高剛性を有する部分が直接肌に触れることはないので、より肌当たりを向上させることができる。
【００４３】
おむつ１０を構成する各構成部材には、本明細書に記載されている材料のほかに、この種の物品における通常用いられている各種の公知の材料を制限なく用いることができる。また、本発明の明細書及び特許請求の範囲において、「第１」，「第２」，「第３」及び「第４」の用語等は、同様の要素、位置を単に区別するために用いられている。
【００４４】
以上に記載した本発明に関する開示は、少なくとも下記事項に要約することができる。
縦方向及び横方向を有し、肌対向面及び非肌対向面と、前ウエスト域と、後ウエスト域と、前後ウエスト域間に位置するクロッチ域と、少なくとも前記クロッチ域において前記縦方向へ延びる吸液構造体が配置され、前記前ウエスト域に位置する前端部と前記後ウエスト域に位置する後端部とを有する吸収シャーシと、前記吸収シャーシの後端部に連結された弾性ウエストベルトとを含む開放型の使い捨ておむつにおいて、前記弾性ウエストベルトの両側縁部どうしを連結するための第１ファスニング手段と、前記第１ファスニング手段を介して連結された前記弾性ウエストベルトの前記非肌対向面に前記吸収シャーシの前記前端部を止着するための第２ファスニング手段とを含み、前記弾性ウエストベルトは、前記吸収シャーシの後端部の両側縁から前記横方向の外側に延びる一対のベルト部と、前記横方向に伸縮可能な弾性域とを有し、少なくとも一方の前記ベルト部は、前記吸液構造体の側縁から前記横方向の外側に延びる第１弾性域と、前記第１弾性域と前記横方向において離間対向する第２弾性域と、前記第１及び第２弾性域間に位置する非弾性域とを有し、前記第２ファスニング手段は、前記吸収シャーシの前記前端部の肌対向面側に位置する第１止着部と、前記非弾性域の非肌対向面側に位置する第２止着部とから構成されることを特徴とする前記おむつ。
【００４５】
上記の発明は、少なくとも下記の実施の形態を含むことができる。
（１）前記各ベルト部の前記弾性域の前記横方向における寸法は、前記各ベルト部の前記横方向における寸法の約５０％以上である。
（２）前記第２ファスニング手段を構成する前記第１止着部間において、前記横方向に伸縮可能な前中央弾性域が配置される。
（３）前記第１止着部の前記横方向における寸法が、前記第２止着部の前記横方向における寸法よりも大きい。
（４）前記吸収シャーシは、前記前後端部間に位置して前記縦方向に延びる中間部を有し、前記中間部の両側縁が凹曲状を有する。
（５）前記吸収シャーシのうちの、前記吸液構造体の前記横方向の外側に位置する部分には、レッグ弾性体がレッグ開口縁部に沿って伸縮可能に配設される。
（６）前記弾性ウエストベルトは、前記弾性域が配置された弾性パネルと、前記弾性パネルの一方側部に取り付けられた非弾性の係止フラップと、他方側部に取り付けられた被係止フラップとを有し、前記第１ファスニング手段は、前記係止フラップの肌対向面側に位置する第３止着部と、前記被係止フラップの非肌対向面側に位置する第４止着部とから構成される。
（７）前記弾性ウエストベルトは、前記一対のベルト部間に位置して前記吸収シャーシが連結される中央部を有し、前記中央部のうちの前記吸液構造体と重なる部位に非弾性域が位置する。
（８）前記弾性ウエストベルトは、前記おむつの横軸に向かって凸となる形状であって、前記クロッチ域の前記後ウエスト域側において、前記吸液構造体と交差してその両側縁の横方向外側に延びる弾性の臀部カバー部を有する。
（９）前記第１及び第２ファスニング手段を構成する前記受止部において、視認可能な装飾要素を有するシートが配置される。
（１０）前記吸液構造体は、透液性の身体側ライナと吸液層とを有し、前記吸液層は、透液性の第１シートと、透液性又は不透液性シートの第２シートと、それらのシート間に介在された吸収性ポリマー粒子とを有する。
（１１）前記吸液層は、前記第１シートと第２シートとが互いに接合された非吸液域と、前記非吸液域に囲まれた、前記吸収性ポリマー粒子が被包された複数の吸液域とをさらに含む。
（１２）前記吸収シャーシは、その外面を形成するカバーシートを有し、前記カバーシートは前記吸液構造体が配置される主体部と、前記主体部の両側に位置し、内方へ折り曲げられた両側部とを有し、前記両側部は、前記主体部に固定された前後固定端部と、前記前後固定端部間に位置する固定側部と、レッグ開口縁部に沿って凹曲状に延びるレッグ弾性体とを有する。
（１３）前記固定側部と前記主体部とを固定する接合域が前記横方向の外側へ凹状を有し、前記接合域と前記吸収シャーシの外側縁との間には、非固定域が位置する。
【符号の説明】
【００４６】
１０  おむつ
１１  前ウエスト域
１２  後ウエスト域
１３  クロッチ域
１４  吸液構造体
１５  吸収シャーシ
１５ｃ，１５ｄ  吸収シャーシの側縁
１６  弾性ウエストベルト
１７  第１ファスニング手段
１８  第２ファスニング手段
２２  係止フラップ
２４  被係止フラップ
２５  弾性ウエストベルトの中央部
２６  ベルト部
２７  第１ファスナ部（第３止着部）
２８  第１受止部（第４止着部）
４０  非弾性域
４１  第１弾性域
４２  第２弾性域
４３  中央非弾性域（非弾性域）
５１  吸収シャーシの前端部
５２  吸収シャーシの後端部
５３  吸収シャーシの中間部
５６  主体部
５７  両側部
６０  前固定端部
６１  後固定端部
６３  固定側部
６２  レッグ弾性体
６５  吸液層
６６  身体側ライナ
７３  前中央弾性域
７４  第２ファスナ部（第１止着部）
７５  第２受止部（第２止着部）
８０  臀部カバー部
８５  中央非弾性域
８７  装飾要素
８８  イラストシート（シート）
９１  第１シート
９２  第２シート
９３  吸液域
９４  非吸液域
９５  吸収性ポリマー粒子
９８  非固定域
Ｌ  弾性ウエストベルトの横方向における寸法
Ｑ  横軸
Ｘ  横方向
Ｙ  縦方向
【図１】
2014079290.tif 000003
【図２】
2014079290.tif 000004
【図３】
2014079290.tif 000005
【図４】
2014079290.tif 000006
【図５】
2014079290.tif 000007
【図６】
2014079290.tif 000008
【図７】
2014079290.tif 000009
【図８】
2014079290.tif 000010
【図９】
2014079290.tif 000011
【図１０】
2014079290.tif 000012
【図１１】
2014079290.tif 000013
【図１２】
2014079290.tif 000014
【図１３】
2014079290.tif 000015